(57)【要約】      （修正有）【課題】ＬＯＴにおいてタブレット端末の汚染リスクを低減する汚染防止カバー等を提供する。【解決手段】演算部と受光部と前記演算部の処理結果を表示する表示部とを有する携帯型端末機器のタッチパネルを覆う汚染防止カバーであって、外部と前記タッチパネル側とを電気的に接続する導電性領域１１と、光分析の検体から発する光を前記受光部へと導光する光路と、前記検体を含む流体が通る流路と、前記光路を経た光を前記受光部に放出する光導出部とを備える、汚染防止カバーである。【選択図】図１
2016045140.tif 000002
【特許請求の範囲】
【請求項１】
受光部と、前記受光部へ導光された光情報に基づいて演算を行う演算部と、前記演算部の処理結果を表示する表示部とを有する携帯型端末機器のタッチパネルを覆う汚染防止カバーであって、
外部と前記タッチパネル側とを電気的に接続する導電性領域と、
光分析の検体から発する光を前記受光部へと導光する光路と、
前記検体を含む流体が通る流路と、
前記光路を経た光を前記受光部に放出する光導出部とを備える、汚染防止カバー。
【請求項２】
外部と前記タッチパネル側とを電気的に遮断する非導電性領域をさらに備える、請求項１記載の汚染防止カバー。
【請求項３】
前記導電性領域は、前記タッチパネルからの可視光を外部に透過させる導電性透明領域を有する、請求項２記載の汚染防止カバー。
【請求項４】
前記非導電性領域は、前記タッチパネルからの可視光を外部に透過させる非導電性透明領域を有する、請求項２又は３記載の汚染防止カバー。
【請求項５】
測定のための光源からの光以外の外部からの光を遮光する遮光領域をさらに備え、
前記光路は、前記遮光領域の内部に形成されている、請求項１から４のいずれかに記載の汚染防止カバー。
【請求項６】
廃液を保持する廃液保持部をさらに備える、請求項１から５のいずれかに記載の汚染防止カバー。
【請求項７】
受光部と、前記受光部へ導光された光情報に基づいて演算を行う演算部と、前記演算部の処理結果を表示する表示部とを有する携帯型端末機器を備える光分析システムであって、
前記携帯型端末機器は、タッチパネルを覆う汚染防止カバーをさらに有し、
前記汚染防止カバーは、
外部と前記タッチパネル側とを電気的に接続する導電性領域と、
光分析の検体から発する光を前記受光部へと導光する光路と、
前記検体を含む流体が通る流路と、
前記光路を経た光を前記受光部に放出する光導出部とを有する、光分析システム。
【請求項８】
受光部と、前記受光部へ導光された光情報に基づいて演算を行う演算部と、前記演算部の処理結果を表示する表示部とを有する携帯型端末機器を用いて、光導入部及び光導出部を有するマイクロチップが前記光導入部から前記光導出部へと通じる光路中に保持する検体に対して、光を照射して当該検体の分析を行う光分析方法であって、
前記マイクロチップは、
前記表示部のタッチパネルを覆うものであり、
外部と前記タッチパネル側とを電気的に接続する導電性領域を有し、
前記導電性領域は、前記タッチパネルからの可視光を外部に透過させる導電性透明領域を有し、
前記携帯型端末機器が、前記タッチパネルの一部であって前記導電性透明領域に対応する部分に操作可能な操作部を表示する表示ステップを含む光分析方法。
【請求項９】
前記マイクロチップは、外部と前記タッチパネル側とを電気的に遮断する非導電性領域をさらに有し、
前記表示ステップにおいて、前記導電性領域及び／又は前記非導電性領域を装着すべき領域をも前記タッチパネルに表示させる装着表示ステップをさらに含む、請求項８記載の光分析方法。
【請求項１０】
前記表示ステップの前に、前記タッチパネルの少なくとも一部におけるタッチ入力機能を停止させるタッチ入力停止ステップをさらに含む、請求項８又は９記載の光分析方法。
【請求項１１】
前記タッチパネルを前記マイクロチップで覆われた前記携帯型端末機器が有するコンピュータに、請求項８記載の光分析方法を実行させる、プログラム。
【発明の詳細な説明】
【技術分野】
【０００１】
本発明は、汚染防止カバー、光分析システム、光分析方法及びプログラムに関し、特に、演算部と受光部と演算部の処理結果を表示する表示部とを有する携帯型端末機器のタッチパネルを覆う汚染防止カバー等に関する。
【背景技術】
【０００２】
近年、例えばシリコン、シリコーン、ガラスなどよりなる小さな基板上に、半導体微細加工の技術によってマイクロスケールの分析用チャネルなどを形成したマイクロチップよりなるマイクロリアクタを用いて微量の試薬の分離、合成、抽出、分析などを行う手法が注目されている。
【０００３】
このようなマイクロリアクタを用いた反応分析システムは、マイクロ・トータル・アナリシス・システム（以下、「μＴＡＳ」という。）と称されており、μＴＡＳによれば、試薬の体積に対する表面積の比が大きくなることなどから高速かつ高精度の反応分析を行うことが可能となり、また、コンパクトで自動化されたシステムを実現することが可能となる。
【０００４】
マイクロチップは、当該マイクロチップに設けられるマイクロチャンネルとも呼ばれる流路１０に試薬が配置された反応領域、流体制御素子（マイクロポンプ、マイクロバルブ、マイクロミキサ、フィルタ、センサ）など各種機能を有する領域を設けて集積化することにより、様々な用途に適応させることが可能となる。
【０００５】
発明者らは、これまでマイクロチップを用いた光分析システムの開発を行ってきた。なお、以下の発明（ＬＯＴ１及びＬＯＴ１−２）についての記載は、本願出願時において公知ではない。
【０００６】
（１）LOT（Labo  On  Tablet）  version  １（ＬＯＴ１） 
図４を参照して、発明者らが開発した光分析システム１０１の構成について説明する（特許文献１参照）。図４は、光分析システム１０１を用いた光分析の概要を示す図であり、（ａ）光分析に用いる検体を保持する様子の一例、（ｂ）タブレット端末上で光分析を行う様子の一例を示す図である。
【０００７】
光分析システム１０１を用いた光分析の前準備として、図４（ａ）に示すように、採取及び前処理済の検体を含む液体１０３をマイクロピペット１０５に保持する。続いて、図４（ｂ）に示すように、液体１０３をマイクロピペット１０５で光分析システム１０１に滴下する。
【０００８】
図４（ｂ）を参照して、光分析システム１０１は、タブレット端末１０７及びマイクロチップ１０９を備える。タブレット端末１０７は、ディスプレイ部１１１及びカメラ部１１３を備える。また、タブレット端末１０７は、図示しないが、演算機能及びディスプレイ表示画像制御機能を有する演算部、並びに、演算結果等を記憶する記憶部を内蔵する。マイクロチップ１０９は、タブレット端末１０７の表面に貼り付けて装着される。マイクロチップ１０９は、検体流入口１１５、流路１１７、検体流出口１１９、光導入部１２１、導光路１２３、及び、光導出部１２５を備える。
【０００９】
マイクロピペット１０５に保持された液体１０３は、検体流入口１１５に流入される。この液体は、流路１１７を検体流出口１１９に向かって流れる。光導入部１２１は、検体に照射される光源からの光を導入する。光導出部１２５は、導光路１２３を経て検体から放出される光（観測光）をカメラ部１１３に放出する。演算部は、カメラ部１１３に入射した光を分析する。分析結果は、ディスプレイ部１１１のマイクロチップ１０９が重ならない部分１２７に表示される。光源としては、ディスプレイ部１１１からの光、又は、外部光源からの光が用いられる。
【００１０】
上記のようなＬＯＴの利点として、光源、測定部、演算部、表示部を１つの処理装置に集約可能であることが挙げられる。処理装置が、タブレットやスマートフォンのような携帯可能な装置であれば、ポイントオブケアテスト（ＰＯＣＴ）に対応可能となる。
【００１１】
また、マイクロチップに検体（流体）を光駆動可能な機構（光駆動式ポンプ）を組み込めば、マイクロチップを用いて、受動的に流体駆動制御及び検体の光分析を実施することが可能となる。さらに、マイクロチップは、安価に製造可能なのでディスポーザルに扱うこともできる。さらに、処理装置に通信機能を搭載させると、様々な検体の分析に応じた分析用ソフトウェアをダウンロード可能であり、多様多種な分析を１台の処理装置で実施可能となる。
【００１２】
続いて、ＬＯＴ１とは異なる光源を用いた変形例について、変形部分を中心に記載する（特許文献２参照）。
【００１３】
（２）LOT  version  １−２  （ＬＯＴ１−２）
ＬＯＴ１−２に係る光分析システムは、検体分析用の光を、ディスプレイからではなく、外部光源からマイクロチップに導光する。外部光源への給電は、処理装置（タブレットなど）から行う。外部光源からの光は、ディスプレイ光と強度、波長が異なるように構成可能である。また、外部光源からの光は、パルス光、コヒーレント光、テラヘルツ光及び偏光とすることも可能である。このような構成とすることで、ＬＯＴ１と同様の利点があると同時に、光源の幅を広げて適切な波長の光を検体に照射することが容易となる。
【００１４】
〔ＬＯＴの使用手順〕
ラボオンタブレット（ＬＯＴ）は、画面の発光を利用して、タブレット、スマホにセンサチップ(マイクロチップ)を貼付して使用することが基本となるコンセプトである。検体を貼付されたセンサチップにピペティングする。
【００１５】
検体からセンシングする際には、画面操作が必要である。センシングのステップは以下の通りである。
ステップＳ１０１：ソフトウェアを起動する。具体的には、タブレット端末１０７を起動し、測定用ソフトウェア選択（必要に応じてダウンロード又はアプリケーションサーバへの接続）し、測定用ソフトウェアを起動する。
ステップＳ１０２：タブレット端末１０７のディスプレイ部１１１にマイクロチップ１０９を貼付する。
ステップＳ１０３：必要なら測定前処理などを行う。これらの処理は、測定準備、イニシャル設定、レンジ設定、キャリブレーション処理などを含む。
ステップＳ１０４：ディスプレイ部１１１をタッチ操作して測定を開始する（測定用ソフトウェアの開始）。
ステップＳ１０５：測定から得られた分析値（測定用ソフトウェアによる演算値）をディスプレイ部１１１に表示する。必要に応じて、（４）及び（５）の操作、又は、（３）〜（５）の操作が繰り返される。
ステップＳ１０６：測定終了し、マイクロチップ１０９を剥離する。具体的には、測定結果を保存し、測定用ソフトウェアを終了し、タブレット端末１０７を終了する。マイクロチップ１０９に対して廃棄処理を行う。
【００１６】
なお、ステップＳ１０１及びステップＳ１０２の処理は、順番が逆でもよい。
【先行技術文献】
【特許文献】
【００１７】
【特許文献１】特願２０１３−０３５５８１
【特許文献２】特願２０１４−０３２２４５
【発明の概要】
【発明が解決しようとする課題】
【００１８】
しかしながら、タブレット端末１０７がウイルス等の検体を含む液体で汚染されることがある。このような望ましくない状況が起きる原因として、マイクロピペット１０５からマイクロチップ１０９への滴下の失敗、滴下後のタブレット端末１０７の揺れ、測定用ソフトウェアの誤動作等が挙げられる。
【００１９】
上記において、貼付されたマイクロチップ１０９へ直接検体をピペティングすることを想定している。この場合、タブレット端末１０７を誤操作した場合は、例えば、マイクロチップ１０９に組み込まれている光駆動式ポンプの誤動作が発生してマイクロチップ１０９外に検体が流出するおそれがある。このとき、マイクロチップ１０９が貼付された部分やその周辺のディスプレイ部１１１が、検体で汚染される可能性がある。
【００２０】
以上のように、ＬＯＴにおいて、タブレット端末が検体で汚染されるリスクは高い。汚染を抑止するためにはソフトウェアだけでなく、操作手順や使用方法を徹底することが考えられる。ただし、操作手順や使用方法は規定しても必ずしも遵守されるとは限らず、完全な対応とは言い難い。
【００２１】
そこで、本発明は、ＬＯＴにおいてタブレット端末の汚染リスクを低減する汚染防止カバー等を提供することを目的とする。
【課題を解決するための手段】
【００２２】
本発明の第１の観点は、受光部と、前記受光部へ導光された光情報に基づいて演算を行う演算部と、前記演算部の処理結果を表示する表示部とを有する携帯型端末機器のタッチパネルを覆う汚染防止カバーであって、外部と前記タッチパネル側とを電気的に接続する導電性領域と、光分析の検体から発する光を前記受光部へと導光する光路と、前記検体を含む流体が通る流路と、前記光路を経た光を前記受光部に放出する光導出部とを備える、汚染防止カバーである。
【００２３】
本発明の第２の観点は、第１の観点の汚染防止カバーであって、外部と前記タッチパネル側とを電気的に遮断する非導電性領域をさらに備える。
【００２４】
本発明の第３の観点は、第２の観点の汚染防止カバーであって、前記導電性領域は、前記タッチパネルからの可視光を外部に透過させる導電性透明領域を有する。
【００２５】
本発明の第４の観点は、第２又は第３の観点の汚染防止カバーであって、前記非導電性領域は、前記タッチパネルからの可視光を外部に透過させる非導電性透明領域を有する。
【００２６】
本発明の第５の観点は、第１から第４のいずれかの観点の汚染防止カバーであって、測定のための光源からの光以外の外部からの光を遮光する遮光領域をさらに備え、前記光路は、前記遮光領域の内部に形成されている。
【００２７】
本発明の第６の観点は、第１から第５のいずれかの観点の汚染防止カバーであって、廃液を保持する廃液保持部をさらに備える。
【００２８】
本発明の第７の観点は、受光部と、前記受光部へ導光された光情報に基づいて演算を行う演算部と、前記演算部の処理結果を表示する表示部とを有する携帯型端末機器を備える光分析システムであって、前記携帯型端末機器は、タッチパネルを覆う汚染防止カバーをさらに有し、前記汚染防止カバーは、外部と前記タッチパネル側とを電気的に接続する導電性領域と、光分析の検体から発する光を前記受光部へと導光する光路と、前記検体を含む流体が通る流路と、前記光路を経た光を前記受光部に放出する光導出部とを有する、光分析システムである。
【００２９】
本発明の第８の観点は、受光部と、前記受光部へ導光された光情報に基づいて演算を行う演算部と、前記演算部の処理結果を表示する表示部とを有する携帯型端末機器を用いて、光導入部及び光導出部を有するマイクロチップが前記光導入部から前記光導出部へと通じる光路中に保持する検体に対して、光を照射して当該検体の分析を行う光分析方法であって、前記マイクロチップは、前記表示部のタッチパネルを覆うものであり、外部と前記タッチパネル側とを電気的に接続する導電性領域を有し、前記導電性領域は、前記タッチパネルからの可視光を外部に透過させる導電性透明領域を有し、前記携帯型端末機器が、前記タッチパネルの一部であって前記導電性透明領域に対応する部分に操作可能な操作部を表示する表示ステップを含む光分析方法である。
【００３０】
本発明の第９の観点は、第８の観点の光分析方法であって、前記マイクロチップは、外部と前記タッチパネル側とを電気的に遮断する非導電性領域をさらに有し、前記表示ステップにおいて、前記導電性領域及び／又は前記非導電性領域を装着すべき領域をも前記タッチパネルに表示させる装着表示ステップをさらに含む。
【００３１】
本発明の第１０の観点は、第８又は第９の観点の光分析方法であって、前記表示ステップの前に、前記タッチパネルの少なくとも一部におけるタッチ入力機能を停止させるタッチ入力停止ステップをさらに含む。
【００３２】
本発明の第１１の観点は、前記タッチパネルを前記マイクロチップで覆われた前記携帯型端末機器が有するコンピュータに、第８の観点の光分析方法を実行させる、プログラムである。
【発明の効果】
【００３３】
本発明の各観点によれば、タッチパネルの汚染防止とタッチパネル操作の両立が可能となる。検体をマイクロチップに導入する際に誤ってこぼしても、携帯型端末機器のタッチパネルが汚染防止カバーで覆われており、検体がタッチパネルを汚染しない。また、汚染防止カバーの導電性領域を介して、光分析に必要なタッチパネル操作を行うことができる。
【００３４】
ここで、ＬＯＴにおいてセンサチップを貼付する際、誤ってディスプレイ部に触れることでタブレット端末等が誤動作することがある。
【００３５】
例えば、測定用ソフトウェア起動（ステップＳ１０１）の工程が貼付よりも先に行われる場合、マイクロチップの貼付（ステップＳ１０２）のときに指が画面に触れ、画面のフリック動作などが行われることがある。すると、ステップＳ１１の測定用ソフトウェアの表示画面がスクロールされたり、測定用ソフトウェアの不所望な動作（例えば、マイクロチップに検体を注入する前に測定用ソフトウェアが開始してしまうといった動作）が発生する場合がある。
【００３６】
また、マイクロチップの貼付（ステップＳ１０２）の工程が測定用ソフトウェアの起動（ステップＳ１０１）の前に行われる場合、マイクロチップ貼付のときに指が画面に触れ、画面が反応することがある。すると、タブレット端末の不所望な動作（例えば、画面のフリック動作などでの画面の不所望なスクロールや、本測定とは関係のない別の測定用ソフトウェアが起動してしまうといった動作）が発生する場合がある。
【００３７】
そこで、本発明の第２の観点によれば、汚染防止カバーのうち、タッチパネル操作が不要なタッチパネルに対応する部分を非導電性にすることで、誤操作を減らすことが可能となる。
【００３８】
本発明の第３の観点によれば、携帯型端末機器の汚染防止及び誤操作防止を図りつつ、汚染防止カバーの透明領域を介して、光分析の操作を行うことが容易となる。
【００３９】
さらに、本発明の第４の観点によれば、測定結果等を表示するが操作対象とならない領域を非導電性透明領域として設け、測定結果等の表示と誤動作防止を両立させることが容易となる。
【００４０】
さらに、本発明の第５の観点によれば、汚染防止カバーのうち、測定結果等の表示や操作に関係ない部分に遮光領域を設けることにより、ノイズの少ない光分析をＬＯＴ方式で行うことが容易となる。
【００４１】
さらに、本発明の第６の観点によれば、汚染防止カバー上に流体をこぼしてしまったとしても、携帯型端末機器を汚染することなく汚染防止カバーを廃棄処理することができる。
【００４２】
さらに、本発明の第９の観点によれば、汚染防止カバーを適切に位置合わせして携帯型端末機器に装着することが容易となる。
【００４３】
さらに、本発明の第１０の観点によれば、汚染防止カバーを携帯型端末機器に装着する際の誤操作を抑制することが容易となる。
【図面の簡単な説明】
【００４４】
【図１】光分析システム１の基本構成を示す図である。
【図２】光分析システム１の概要を示す図である。
【図３】カバーチップ５を用いた分析フローの一例を示す図である。
【図４】光分析システム１０１を用いた光分析の概要を示す図であり、（ａ）光分析に用いる検体を採取する様子の一例、（ｂ）タブレット端末上で光分析を行う様子の一例を示す図である。
【発明を実施するための形態】
【００４５】
以下、図面を参照して、本願発明の実施例について述べる。なお、本願発明の実施の形態は、以下の実施例に限定されるものではない。
【００４６】
図１は、本発明に係る光分析システムの基本構成を示す図である。なお、本実施例は、本発明に係る汚染防止カバーをＬＯＴ１（ディスプレイに貼り付けたマイクロチップに検体をピペティングする方式）に適用した例であり、光源はディスプレイからの発光を利用している。
【００４７】
図１を参照して、本発明に係る光分析システム１（本願請求項の「光分析システム」の一例）は、タブレット端末３（本願請求項の「携帯型端末機器」の一例）と、カバーチップ（本願請求項の「汚染防止カバー」の一例、マイクロチップともいう）５とを備える。タブレット端末３は、ディスプレイ部７（本願請求項の「表示部」の一例）とカメラ部９（本願請求項の「受光部」の一例）とを有する。カバーチップ５は、導電性領域１１（本願請求項の「導電性領域」の一例）と非導電性領域１３（本願請求項の「非導電性領域」の一例）とを有する。また、タブレット端末は、図示しない演算部（本願請求項の「演算部」の一例）及び記憶部を内蔵する。演算部の演算結果（例えば、光分析の分析結果）は、ディスプレイ部７に表示される。
【００４８】
図１において、タブレット端末３のディスプレイ部７の表面全体に、カバーチップ５が覆うように貼り付けて設置されている。ここで、カバーチップ５は、タブレット端末３に対して脱着可能である。このカバーチップ５は、従来のＬＯＴにおけるマイクロチップ（センサーチップ）を兼ねる。
【００４９】
続いて、図２を参照して、光分析システム１の概要について述べる。図２は、光分析システム１の概要を示す図である。
【００５０】
カバーチップ５は、従来のＬＯＴ用マイクロチップ（センサーチップ）と同様、少なくとも、光導入部（本願請求項の「光導入部」の一例であり、例えば、励起光導入穴１５、第１駆動光導入穴１７、第２駆動光導入穴１９）と、光導出部（本願請求項の「光導出部」の一例であり、例えば、内蔵カメラ導光穴２１）と、検体を流入させる検体流入口と、検体を含む液体及び／又はバッファー液を保持する複数のポートＡ〜Ｅと、当該ポート間を結ぶ流路２３（本願請求項の「流路」の一例）と、ポートに設けられ当該ポートに保持された液体を送給するための光により駆動される液体送給手段（例えば光駆動エアポンプ）と、光導入部からの光を導光し検体を含む液に光を照射する導光路（第１レンズ２５等から構成される光路）と、当該検体を含む液体に光を照射することにより当該検体から放出される光（観測光）を光導出部に導く導光路（本願請求項の「光路」の一例であり、第２レンズ２７、第１平行光フィルタ２９、第２平行光フィルタ３１、フィルタ３３、集光穴３５、内蔵カメラ導光穴２１等から構成される光路）とを備える。
【００５１】
ここで、カバーチップ５は、例えば、ポリジメチルシロキサン（Polydimethylsiloxane：ＰＤＭＳ）等のシリコーン樹脂からなる。観測光は、例えば、蛍光である。第１駆動光導入穴１７及び第２駆動光導入穴１９は、例えば、コリメータマイクロレンズアレイであり、光駆動エアポンプを駆動するのに適した波長の光を導入する。導入された光は、第１光ファイバ３７及び第２光ファイバ３９を経てそれぞれポートＡ及びポートＢに導光され、光駆動エアポンプを駆動する。光駆動エアポンプは、例えば、光が照射されるとガスを発生するガス発生剤が収容されているガス発生室が設けられている構造であり、光照射時に発生するガスにより流路２３内の流体を送出する。
【００５２】
また、集光穴３５は、カバーチップ５内部に設けられた空洞である。集光穴３５の光入射面は、入射光が反射かつ集光されるように形成されている。この光入射面（反射面）形状は、できるだけ効率的に入射光を反射させるために、カバーチップ５の材質に依存する界面（反射面）の臨界角を考慮して設計されている。
【００５３】
各ポートの機能は以下の通りである。ポートＡは、光駆動エアポンプが備えられた溶液溜りであり、検体が導入される。ポートＢには、光駆動エアポンプが備えられる。ポートＣは、溶液溜りであり、例えば、バッファー液であるりん酸緩衝生理食塩水（Ｐｈｏｓｐｈａｔｅｂｕｆｆｅｒｅｄ ｓａｌｉｎｅ, 以下、ＰＢＳと呼称する）が注入・貯蔵される。ポートＤは、検体溜りである。ポートＥは、検体排出口である。
【００５４】
ディスプレイ部７は、静電容量式のタッチパネルディスプレイとする。すなわち、ディスプレイ部７は、ディスプレイ画面に指や専用タッチペンで触れると発生する微弱な電流、つまり静電容量（電荷）の変化を感知し、タッチした位置を把握する方式を採用したディスプレイであり、タブレット端末３の操作を行うためのものである。
【００５５】
カバーチップ５は、導電性領域１１と非導電性領域１３とを備える。導電性領域１１は、少なくとも一部がディスプレイ部７からの可視光を外部に透過する透明な領域４３（本願請求項の「導電性透明領域」の一例）となっている。導電性領域１１は、外部とディスプレイ部７とを電気的に接続する。他方、非導電性領域１３は、外部とディスプレイ部７とを電気的に遮断する。導電性領域１１の下面（ディスプレイ部７側）にはタッチ操作可能な操作部４１（本願請求項の「操作部」の一例）が表示される。このため、導電性領域１１を介して、操作部４１に対するタッチ操作が容易となっている。
【００５６】
また、非導電性領域１３の一部は、少なくとも一部がディスプレイ部７からの可視光を外部に透過する透明な領域（非導電性透明領域４４、本願請求項の「非導電性透明領域」の一例）となっている。非導電性透明領域４４の下面（ディスプレイ部７側）には分析結果等が表示される結果表示部４５が表示されるため、非導電性透明領域４４を介して、分析結果等が容易に視認可能である。
【００５７】
さらに、非導電性領域１３の別の一部は、黒色顔料が分散された不透明な領域（非導電性遮光領域４７、本願請求項の「遮光領域」の一例）となっている。カバーチップ５内の光学系は、非導電性遮光領域４７に内蔵されており、ノイズとなる光が光分析に及ぼす影響が最小限に抑制されている。
【００５８】
非導電性透明領域４４及び非導電性遮光領域４７は、操作者が誤って触れても下面のタッチパネルには信号が伝達されない。そのため、誤操作を抑制することが可能となる。検体の中には、ウイルスのように漏出した場合のリスクが大きいものもありえるため、誤操作の抑制は非常に重要な効果といえる。
【００５９】
流路、光導光路の構成例は、例えば、特願２０１３−０３５５８１におけるマイクロチップの構成例を準用することができる。例えば、カバーチップ５が有する流体駆動制御機構は、特願２０１３−０３５５８１に記載されている光駆動式ポンプを用いて構成される。
【００６０】
また、カバーチップ５は、廃液をためる廃液保持部（本願請求項の「廃液保持部」の一例）を備える。これにより、万一、誤操作等があった場合であっても、ウイルス等の検体を含む液体の漏出リスクを抑制することが可能となる。廃液保持部は、例えば図２（ｂ）に示すように、ポートＥの部分をカバーチップ５の内部に設けた空洞部Ｅ’に変更し、この空洞部Ｅ’を廃液保持部としてもよい。廃液保持部（空洞部Ｅ’）の容量は、例えば、１枚のカバーチップ５を使用する際に生じる廃液をためることが可能な容量に設定される。なお、流路２３内を検体が容易に移動できるように、適宜、空洞部Ｅ’と外部とを空間的に連結する空気抜き用孔部Ｅ’１を設けてもよい。
【００６１】
続いて、図３を参照して、カバーチップ５を用いたＬＯＴによる光分析方法（本願請求項の「光分析方法」の一例）について述べる。図３は、カバーチップ５を用いた分析フローの一例を示す図である。
【００６２】
以下、ＬＯＴ１を例とする。
（ステップＳ１）  タブレット端末３が起動する。
（ステップＳ２）  測定用ソフトウェアが選択される。ここで、タブレット端末３に測定用ソフトウェアがダウンロードされていなければ、外部サーバより測定用ソフトウェアをダウンロードする、クラウド上の測定用ソフトウェアにアクセスする等の方法で測定用ソフトウェアを選択する。
（ステップＳ３）  測定用ソフトウェアが起動する。
（ステップＳ４）  測定用ソフトウェア又はタブレット端末３は、ディスプレイ部７の一部を残して、画面タッチ機能を停止する（本願請求項の「タッチ入力停止ステップ」の一例）。タッチ入力の停止を制御するタッチ入力停止制御部は、例えば、タブレット端末３が有してもよいし、測定用ソフトウェアの機能の一部として実現されてもよい。いずれにせよ、光分析システム１が、タッチ入力停止制御部を備える。
（ステップＳ５）  タブレット端末３は、ディスプレイ部７に、導電性領域１１及び非導電性領域１３を装着すべき領域を表示する（装着表示ステップ）。装着表示を制御する装着表示制御部も、光分析システム１が備える。また、ディスプレイ部７の一部であって、カバーチップ５の導電性領域１１の一部に対応する部分に、タッチパネル操作用のアイコン等の操作部４１が表示されている（操作部表示ステップ）。操作部表示を制御する操作部表示制御部も、光分析システム１が備える。なお、上記の装着表示ステップ及び操作部表示ステップは、併せて本願請求項の「表示ステップ」の一例である。表示に合わせてカバーチップ５がディスプレイ部７に装着される。ここで、ステップＳ４でディスプレイ部７の画面タッチ機能が一部を残して停止されている。よって、カバーチップ貼り付け（位置合わせ）作業において、タブレット端末３の不所望な動作が発生する確率はかなり小さくなっている。また、ステップＳ４において、カバーチップ５の透明な導電性領域１１の少なくとも一部は、ディスプレイ部７の画面タッチ機能を停止していない部分（操作部４１）の上側に位置するように設定されている。
（ステップＳ６）  検体がマイクロピペットにより採取され、カバーチップ５の検体流入口よりカバーチップ５内に供給される。
（ステップＳ７）  導電性領域１１越しに操作部４１のタッチ操作が行われ、測定準備が開始される。この測定準備は、例えば、測定用ソフトウェアのイニシャル設定、測定レンジ設定、キャリブレーション処理を含む。
（ステップＳ８）  導電性領域１１越しに操作部４１のタッチ操作が行われ、測定用ソフトウェアに検体の測定を開始させる。
（ステップＳ９）  測定用ソフトウェアは、一連の検体測定を行う。例えば、測定用ソフトウェアは、(1)ディスプレイ部７の発光を制御して、流体駆動制御機構の光駆動式ポンプを駆動制御し、流路２３に供給された検体の駆動制御を行う。(2)ディスプレイ部７を発光させて、光導光路に検体を照射する光を導光させる。(3)光導光路を介して、検体からの観測光（蛍光）を受光するタブレット端末３のカメラ部９を動作させる。(4)カメラ部により受光した蛍光データを演算し、分析値を得るといった一連の測定作業を行う。
（ステップＳ１０）  測定用ソフトウェアは、ステップＳ９で得られた光分析の測定結果（光分析結果）を結果表示部４５に表示する。また、測定結果は、記憶部に記憶される。必要に応じて、ステップＳ７〜ステップＳ９が繰り返される。
（ステップＳ１１）  ステップＳ９の終了時点で測定終了となる。導電性領域１１越しに操作部４１のタッチ操作が行われ、測定用ソフトウェアが終了される。
（ステップＳ１２）  カバーチップ５がタブレット端末３から剥離され、カバーチップ５の廃棄処理が行われる。
（ステップＳ１３）  タブレット端末３が終了される。
【００６３】
以下、本実施例に係る方法がもたらす有益な効果について述べる。
【００６４】
ＬＯＴ用のマイクロチップを、非導電性領域と導電性領域を有するように構成したので、従来のシリコーン樹脂（導電性材料）からなるマイクロチップを使用するときと比較すると、タブレット端末に貼り付ける際、タブレット端末の誤作動を起こす確率が低くなる。
【００６５】
また、本発明のマイクロチップ（カバーチップ）をタブレット端末表面全体やほぼ全体を覆うように構成することにより、ピペティングを失敗して検体がこぼれても、検体はカバーチップ表面に留まり、タブレット端末の画面上を汚染することはない。これは、万が一、測定用ソフトウェアが誤動作して、カバーチップ（マイクロチップ又はセンサーチップ）の流路から検体が外部に流出した場合も同様である。
【００６６】
よって、センサーチップ毎に、測定用プログラムに画面の誤動作を防止するような制御プログラムを組み込む必要はなく、測定用プログラムの自由度が広がる。
【００６７】
なお、カバーチップの非導電性領域に流路、光導光路を設け、これらの流路、光導光路を包囲するように遮光機能を有する顔料が分散しているようにすることにより、光導光路や、流路内検体の光照射される部分に、外部からの光を遮光可能となり、測定精度が向上する。
【００６８】
また、カバーチップの非導電性領域の少なくとも一部を透明な領域とすることにより、この透明領域から、ディスプレイの表示内容を視認することが可能となる。
【００６９】
さらに、カバーチップの導電性領域を透明な領域にすることにより、カバーチップ下面にあるタブレット端末のディスプレイ部を視認し、カバーチップ越しにディスプレイ部のタッチパネル機能を動作させることが可能となり、タブレット端末を操作することができる。
【００７０】
なお、本発明において用いられる処理装置はタブレット端末に限定されるものではなく、要するにディスプレイを有し、演算機能を備えた処理装置であれば、例えばパソコン、携帯電話等であってもよい。
【００７１】
また、カバーチップは、ディスプレイ部の表面の一部に貼り付けられるものであってもよい。このとき、カバーチップが張り付けられた部分について、汚染防止及び誤操作防止の効果が得られる。
【００７２】
さらに、光導出部は、必ずしもカメラ部に観測光を放出せずとも、所定の外部に光を放出してもよい。
【００７３】
さらに、タブレット端末又は測定用ソフトウェアは、画面タッチ機能の一部を停止せずともよい。ただし、操作者は、カバーチップ装着時に不要なタッチ操作をしないように十分な注意が求められる。また、測定用ソフトウェアが画面タッチ機能を停止した部分に対応するカバーチップの部分は、導電性領域であってもよい。
【符号の説明】
【００７４】
１・・・光分析システム、３・・・タブレット端末、５・・・カバーチップ、７・・・ディスプレイ部、９・・・カメラ部、１１・・・導電性領域、１３・・・非導電性領域、２１・・・内蔵カメラ導光穴、２３・・・流路、４１・・・操作部、４３・・・導電性透明領域、４４・・・非導電性透明領域、４５・・・結果表示部、４７・・・非導電性遮光領域
【図１】
2016045140.tif 000003
【図３】
2016045140.tif 000004
【図４】
2016045140.tif 000005
【図２】
2016045140.tif 000006